(57)【要約】【課題】分光光度計を用いてコンタクトレンズや眼内レンズの紫外線や可視光の透過率を測定する場合、その製品形状を維持したまま測定部位を位置決めできるレンズ保持具を提供する。【解決手段】レンズの凹面形状側を保持する保持面を有する第１レンズ保持部材と、レンズの凸面形状側を保持する保持面を有する第２レンズ保持部材と、透過率を測定する対象であるレンズを挟み込んだ状態で、第１レンズ保持部材と第２レンズ保持部材とを合せ、収納するレンズ保持部材収納容器とを備え、少なくともレンズ保持部材収納容器のレンズが収納された部分の材質が、分光光度計の測定波長の光が透過する材質であることを特徴とするレンズ保持具を提供する。【選択図】  図５
2012168139.tif 000002
【特許請求の範囲】
【請求項１】
レンズの凹面形状側を保持する保持面を有する第１レンズ保持部材と、前記レンズの凸面形状側を保持する保持面を有する第２レンズ保持部材と、前記レンズを挟み込んだ状態で前記第１レンズ保持部材と前記第２レンズ保持部材とを合せて収納するレンズ保持部材収納容器とを備え、前記レンズ保持部材収納容器の前記レンズが収納されている部分の材質が、分光光度計の測定波長の光を透過する材質であることを特徴とするレンズ保持具。
【請求項２】
請求項１の記載において、前記レンズ保持部材収納容器の前記レンズが収納されている部分の材質は石英であることを特徴とするレンズ保持具。
【請求項３】
請求項１の記載において、前記第１レンズ保持部材の前記保持面に分光光度計の測定波長の光を前記レンズに透過させるための開口が設けられていることを特徴とするレンズ保持具。
【請求項４】
請求項１の記載において、前記第２レンズ保持部材の前記保持面に分光光度計の測定波長の光を前記レンズに透過させるための開口が設けられていることを特徴とするレンズ保持具。
【請求項５】
請求項１の記載において、前記第１レンズ保持部材の少なくとも前記保持面の材質は、分光光度計の測定波長の光が透過する材質であることを特徴とするレンズ保持具。
【請求項６】
請求項５の記載において、前記第１レンズ保持部材の少なくとも前記保持面の材質は石英であることを特徴とするレンズ保持具。
【請求項７】
請求項１の記載において、前記第２レンズ保持部材の少なくとも前記保持面の材質は、分光光度計の測定波長の光が透過する材質であることを特徴とするレンズ保持具。
【請求項８】
請求項７の記載において、前記第２レンズ保持部材の少なくとも前記保持面の材質は石英であることを特徴とするレンズ保持具。
【請求項９】
請求項１の記載において、前記第１レンズ保持部材および前記第２保持部材に前記保持面にレンズ保存溶液を導入する流路が設けられていることを特徴とするレンズ保持具。
【発明の詳細な説明】
【技術分野】
【０００１】
本発明は、コンタクトレンズや眼内レンズの紫外線や可視光の透過率を測定するときに使用される保持具に関する。
【背景技術】
【０００２】
コンタクトレンズや眼内レンズは、眼球へ装着されるため、紫外線や可視光の透過率性能の品質を確保することが重要である。これらのレンズと同じ材質，同じ厚さの平板形状の試料を作成して透過率を測定することが行われている（例えば、特許文献１，特許文献２参照）。さらに、レンズ状態の製品形状における部位ごとの透過率の測定が可能であれば、より正確な透過率を得ることができる（例えば、特許文献３参照）。しかし、ソフトコンタクトレンズや眼内レンズは素材が柔軟であり、製品形状であるレンズ形状を維持しつつ、レンズ保存溶液中に浸して測定する場合、測定部位の位置決めを熟練した作業者に依存しているのが現状である。
【先行技術文献】
【特許文献】
【０００３】
【特許文献１】特開２００６−１３８９２０号公報
【特許文献２】特開２００８−６５２８９号公報
【特許文献３】特開２０００−４６６９４号公報
【発明の概要】
【発明が解決しようとする課題】
【０００４】
本発明は、分光光度計を用いてコンタクトレンズや眼内レンズの紫外線や可視光の透過率を測定する場合、その製品形状を維持したまま測定部位を位置決めできるレンズ保持具を提供することを目的とする。
【課題を解決するための手段】
【０００５】
上記課題を解決するために、本発明の実施態様は、レンズの凹面形状側を保持する保持面を有する第１レンズ保持部材と、レンズの凸面形状側を保持する保持面を有する第２レンズ保持部材と、レンズを挟み込んだ状態で第１レンズ保持部材と第２レンズ保持部材とを合せて収納するレンズ保持部材収納容器とを備え、少なくともレンズ保持部材収納容器のレンズが収納された部分の材質が、分光光度計の測定波長の光が透過する材質であることを特徴とするレンズ保持具を提供する。
【発明の効果】
【０００６】
本発明によれば、分光光度計を用いてコンタクトレンズや眼内レンズの紫外線や可視光の透過率を測定する場合、その製品形状を維持したまま測定部位を位置決めできるレンズ保持具を提供することができる。
【図面の簡単な説明】
【０００７】
【図１】第１レンズ保持部材１の構成を表す構成図である。
【図２】第２レンズ保持部材５の構成を表す構成図である。
【図３】レンズ保持部材収納容器１０の平面図である。
【図４】第１レンズ保持部材１，第２レンズ保持部材５，透過率を測定するレンズ９，レンズ保持部材収納容器１０の組み立てを示す断面図である。
【図５】レンズ保持部材収納容器１０にレンズ９と第１レンズ保持部材１と第２レンズ保持部材５とが収納された状態の断面図である。
【発明を実施するための形態】
【０００８】
以下、図を参照して本発明の実施例を説明する。
【０００９】
〔実施例〕
図１は、第１レンズ保持部材１の構成を表す構成図であり、図１（ａ）は正面図、図１（ｂ）は図１（ａ）のＡ−Ａ断面図である。第１レンズ保持部材１のほぼ中央部に、レンズの凹面側を保持する保持面２が設けられ、分光光度計の光束を照射する開口３と、レンズ保存溶液を導入させる流路４とから構成されている。
【００１０】
図２は、第２レンズ保持部材５の構成を表す構成図であり、図２（ａ）は正面図、図２（ｂ）は図２（ａ）のＢ−Ｂ断面図である。第２レンズ保持部材５のほぼ中央部に、レンズの凸面側を保持する保持面６が設けられ、分光光度計の光束を照射する開口７と、レンズ保存溶液を導入させる流路８とから構成されている。
【００１１】
第１レンズ保持部材１の少なくとも保持面２の部分と、第２レンズ保持部材５の少なくとも保持面６の部分の材質を、分光光度計の測定波長を透過する材質、例えば石英のような材質で製作すれば、開口３や開口７は不要である。
【００１２】
図３は、レンズ保持部材収納容器１０の平面図である。また、図４は、第１レンズ保持部材１，第２レンズ保持部材５，透過率を測定するレンズ９，レンズ保持部材収納容器１０の組み立てを示す断面図である。
【００１３】
図４（ａ）において、透過率を測定するレンズ９の凹面側を第１レンズ保持部材１の保持面２と合せ、レンズ９の凸面側を第２レンズ保持部材５の保持面６と合せ、レンズ９を第１レンズ保持部材１と第２レンズ保持部材５とで挟み込む。図４（ｂ）は、レンズ９が第１レンズ保持部材１と第２レンズ保持部材５とで挟み込まれた状態を示し、この状態で図４（ｃ）に断面を示したレンズ保持部材収納容器１０に収納し、図４（ｄ）に示す状態として、レンズ９を第１レンズ保持部材１と第２レンズ保持部材５で固定する。次に、流路４と流路８とで構成される流路に、レンズ保存溶液を導入する。
【００１４】
レンズ保持部材収納容器１０の材質、あるいは少なくとも開口３と開口７の部分は、分光光度計の測定波長の光を透過する材質、例えば石英のような材質で製作する。したがって、流路４，流路８から導入されたレンズ保存溶液が漏れ出ることを防ぐことができる。
【００１５】
図５は、レンズ保持部材収納容器１０にレンズ９と第１レンズ保持部材１と第２レンズ保持部材５とが収納された状態の断面図である。レンズ保持部材収納容器１０を、分光光度計の測定波長の光を透過する材質、例えば石英のような材質で製作しているので、分光光度計の測定波長の光１１をレンズ９に透過させ、検出器１２で検出して、図示しない演算装置でレンズ９の測定波長の光１１に対する透過率を演算する。
【００１６】
測定終了後、図４（ｄ）に示す状態から図４（ａ）に示す状態へ分解するとき、レンズ保存溶液を流路４，流路８に導入させることで、第１レンズ保持部材１と第２レンズ保持部材５とを離れ易くすることができ、レンズ９を容易に取り出すことができる。
【００１７】
なお、第１レンズ保持部材１の保持面２と第２レンズ保持部材５の保持面６のレンズ９に合せる面の状態は、レンズ９がその形状を維持していればよいので、必ずしも密着させるような曲面にする必要はなく、通常の球，二次関数曲面，円錐形状であってよい。
【００１８】
以上述べたように、本発明によれば、分光光度計を用いてコンタクトレンズや眼内レンズの紫外線や可視光の透過率を測定する場合、その製品形状を維持したまま測定部位を位置決めできるレンズ保持具を提供することができる。
【符号の説明】
【００１９】
１  第１レンズ保持部材
２，６  保持面
３，７  開口
４，８  流路
５  第２レンズ保持部材
９  レンズ
１０  レンズ保持部材収納容器
１１  光
１２  検出器
【図１】
2012168139.tif 000003
【図２】
2012168139.tif 000004
【図３】
2012168139.tif 000005
【図４】
2012168139.tif 000006
【図５】
2012168139.tif 000007